(57)【要約】【課題】発振周波数を制御し、所望の周波数範囲を得ることが可能な電圧制御発振器を提供する。【解決手段】本発明に係る電圧制御発振器１００は、第１のインダクタ２、第２のインダクタ３、および第１の可変容量４、を有するタンク回路５と、第１のインダクタ２の他端と接地電位ＶＳＳとの間に接続され、ゲートが第２のインダクタ３の他端に接続されたｎ型の第１のＭＯＳトランジスタ６と、第２のインダクタ３の他端と接地電位ＶＳＳとの間に接続され、ゲートが第１のインダクタ２の他端に接続されたｎ型の第２のＭＯＳトランジスタ７と、第３のインダクタ９と、第４のインダクタ１１と、第３のインダクタ９の他端と第４のインダクタ１１の他端との間に接続された第２の可変容量１３と、を備える。【選択図】図１
2007266700.tif 000002
【特許請求の範囲】
【請求項１】
電源電位に一端が接続された第１のインダクタ、前記電源電位に一端が接続された第２のインダクタ、および、前記第１のインダクタの他端と前記第２のインダクタの他端との間に接続され、発振周波数制御電圧により容量値が制御される第１の可変容量、を有するタンク回路と、
前記第１のインダクタの他端と接地電位との間に接続され、ゲートが前記第２のインダクタの他端に接続された第１のＭＯＳトランジスタと、
前記第２のインダクタの他端と前記接地電位との間に接続され、ゲートが前記第１のインダクタの他端に接続された第２のＭＯＳトランジスタと、
前記電源電位に一端が接続された第３のインダクタと、
前記第３のインダクタの他端と前記接地電位との間に接続され、ゲートが第１のＭＯＳトランジスタのゲートに接続された第３のＭＯＳトランジスタと、
前記電源電位に一端が接続された第４のインダクタと、
前記第４のインダクタの他端と前記接地電位との間に接続され、ゲートが第２のＭＯＳトランジスタのゲートに接続された第４のＭＯＳトランジスタと、
前記第３のインダクタの他端と前記第４のインダクタの他端との間に接続された第２の可変容量と、
を備えることを特徴とする電圧制御発振器。
【請求項２】
電源電位に一端が接続された第１のインダクタ、前記電源電位に一端が接続された第２のインダクタ、および、前記第１のインダクタの他端と前記第２のインダクタの他端との間に接続され、発振周波数制御電圧により容量値が制御される第１の可変容量、を有するタンク回路と、
前記第１のインダクタの他端と接地電位との間に接続され、ゲートが前記第２のインダクタの他端に接続された第１のＭＯＳトランジスタと、
前記第２のインダクタの他端と前記接地電位との間に接続され、ゲートが前記第１のインダクタの他端に接続された第２のＭＯＳトランジスタと、
他端が前記タンク回路の出力の一端に接続された第３のインダクタと、
前記第３のインダクタの一端にその一端が接続され、他端がタンク回路の出力の他端に接続された第４のインダクタと、
前記第３のインダクタの他端と前記第４のインダクタの他端との間に接続された第２の可変容量と、
を備えることを特徴とする電圧制御発振器。
【請求項３】
電源電位に一端が接続された第１のインダクタ、前記電源電位に一端が接続された第２のインダクタ、および、前記第１のインダクタの他端と前記第２のインダクタの他端との間に接続され、第１の発振周波数制御電圧により容量値が制御される第１の可変容量、を有するタンク回路と、前記第１のインダクタの他端と接地電位との間に接続され、ゲートが前記第２のインダクタの他端に接続された第１のＭＯＳトランジスタと、前記第２のインダクタの他端と前記接地電位との間に接続され、ゲートが前記第１のインダクタの他端に接続された第２のＭＯＳトランジスタと、前記電源電位に一端が接続された第３のインダクタと、前記第３のインダクタの他端と前記接地電位との間に接続され、ゲートが第１のＭＯＳトランジスタのゲートに接続された第３のＭＯＳトランジスタと、前記電源電位に一端が接続された第４のインダクタと、前記第４のインダクタの他端と前記接地電位との間に接続され、ゲートが第２のＭＯＳトランジスタのゲートに接続された第４のＭＯＳトランジスタと、前記第３のインダクタの他端と前記第４のインダクタの他端との間に接続され、第２の発振周波数制御電圧により容量値が制御される第２の可変容量と、を有する電圧制御発振器と、
前記タンク回路の発振信号の振幅を検出するとともに、前記電圧制御発振器を動作させるための動作電流を変化させて、前記タンク回路の発振信号の振幅を制御する振幅制御部と、
前記動作電流を検出する電流検出部と、
前記振幅制御部を制御するとともに前記電圧制御発振器を制御する制御回路と、を備え、
前記制御回路は、前記電流検出部により検出された電流値に応じて、前記振幅制御部を制御して所望の振幅で前記動作電流を変化させるとともに、前記タンク回路の発振信号の発振周波数を検出し、前記第１、第２の発振周波数制御電圧を制御して第１、第２の可変容量の容量値を変化させて前記タンク回路に所望の発振周波数の発振信号を出力させる
ことを特徴とする電圧制御発振器の調整回路。
【請求項４】
電源電位に一端が接続された第１のインダクタ、前記電源電位に一端が接続された第２のインダクタ、および、前記第１のインダクタの他端と前記第２のインダクタの他端との間に接続され、発振周波数制御電圧により容量値が制御される第１の可変容量、を有するタンク回路と、前記第１のインダクタの他端と接地電位との間に接続され、ゲートが前記第２のインダクタの他端に接続された第１のＭＯＳトランジスタと、前記第２のインダクタの他端と前記接地電位との間に接続され、ゲートが前記第１のインダクタの他端に接続された第２のＭＯＳトランジスタと、他端が前記タンク回路の出力の一端に接続された第３のインダクタと、前記第３のインダクタの一端にその一端が接続され、他端がタンク回路の出力の他端に接続された第４のインダクタと、前記第３のインダクタの他端と前記第４のインダクタの他端との間に接続された第２の可変容量と、を有する電圧制御発振器と、
前記タンク回路の発振信号の振幅を検出するとともに、前記電圧制御発振器を動作させるための動作電流を変化させて、前記タンク回路の発振信号の振幅を制御する振幅制御部と、
前記動作電流を検出する電流検出部と、
前記振幅制御部を制御するとともに前記電圧制御発振器を制御する制御回路と、を備え、
前記制御回路は、前記電流検出部により検出された電流値に応じて、前記振幅制御部を制御して所望の振幅で前記動作電流を変化させるとともに、前記タンク回路の発振信号の発振周波数を検出し、前記第１、第２の発振周波数制御電圧を制御して第１、第２の可変容量の容量値を変化させて前記タンク回路に所望の発振周波数の発振信号を出力させる
ことを特徴とする電圧制御発振器の調整回路。
【請求項５】
前記制御回路は、前記電流検出部により検出された電流値に応じて、前記動作電流が最小になるように前記振幅制御部を制御して所望の振幅で前記動作電流を変化させる
ことを特徴とする請求項３または４に記載の電圧制御発振器の調整回路。
【発明の詳細な説明】
【技術分野】
【０００１】
本発明は、所望の発振周波数の発振信号を出力する電圧制御発振器、この電圧制御発振器を備えた半導体集積回路に関する。
【背景技術】
【０００２】
従来、例えば、急速に市場が拡大している移動体通信端末においては、個々の端末にそれぞれ電圧制御発振器(ＶCO：Ｖoltage Controlled Oscillator)を搭載することが必要とされる。
【０００３】
この電圧制御発振器の特性としては、その発振周波数、周波数可変範囲が重要である。
【０００４】
ここで、上記従来の電圧制御発振器には、例えば、電源電位に一端が接続された第１のインダクタ、電源電位に一端が接続された第２のインダクタ、および、第１のインダクタの他端と第２のインダクタの他端との間に接続され、発振周波数制御電圧により容量値が制御される可変容量、を有するタンク回路と、第１のインダクタの他端と接地電位との間に接続され、ベースが第２のインダクタに接続された第１のバイポーラトランジスタと、第２のインダクタの他端と接地電位との間に接続され、ベースが第１のインダクタの他端に接続された第２のバイポーラトランジスタと、電源電位に一端が接続された第３のインダクタと、第３のインダクタの他端と接地電位との間に接続され、ベースが第１のバイポーラトランジスタのベースに接続された第３のバイポーラトランジスタと、電源電位に一端が接続された第４のインダクタと、第４のインダクタの他端と接地電位との間に接続され、ベースが第２のバイポーラトランジスタのベースに接続された第４のバイポーラトランジスタと、を備えるものがある。
【０００５】
この電圧制御発振器では、第３、第４のバイポーラトランジスタ、第３、第４のインダクタにより、タンク回路を構成する第１、第２のインダクタに対し相互インダクタンスを発生させて、タンク回路の発振信号の発振周波数を制御し、周波数可変範囲を拡大するものである（例えば、特許文献１参照。）。
【０００６】
しかし、上記従来の電圧制御発振器では、可変容量に流れる電流が流れるため、第１のインダクタに流れる電流と第４のインダクタに流れる電流の位相が異なる。
【０００７】
したがって、従来の電圧制御発振器によっては、相互インダクタンスが十分に発生せず、所望の周波数可変範囲を得ることができないという問題があった。
【特許文献１】特開２００１−３１３５２７号公報
【発明の開示】
【発明が解決しようとする課題】
【０００８】
本発明は、上記課題を解決するものであり、発振周波数を制御し、所望の周波数範囲を得ることが可能な電圧制御発振器および電圧制御発振器の調整回路を提供することを目的とする。
【課題を解決するための手段】
【０００９】
本発明に係る電圧制御発振器は、電源電位に一端が接続された第１のインダクタ、前記電源電位に一端が接続された第２のインダクタ、および、前記第１のインダクタの他端と前記第２のインダクタの他端との間に接続され、発振周波数制御電圧により容量値が制御される第１の可変容量、を有するタンク回路と、前記第１のインダクタの他端と接地電位との間に接続され、ゲートが前記第２のインダクタの他端に接続された第１のＭＯＳトランジスタと、前記第２のインダクタの他端と前記接地電位との間に接続され、ゲートが前記第１のインダクタの他端に接続された第２のＭＯＳトランジスタと、前記電源電位に一端が接続された第３のインダクタと、前記第３のインダクタの他端と前記接地電位との間に接続され、ゲートが第１のＭＯＳトランジスタのゲートに接続された第３のＭＯＳトランジスタと、前記電源電位に一端が接続された第４のインダクタと、前記第４のインダクタの他端と前記接地電位との間に接続され、ゲートが第２のＭＯＳトランジスタのゲートに接続された第４のＭＯＳトランジスタと、前記第３のインダクタの他端と前記第４のインダクタの他端との間に接続された第２の可変容量と、を備えることを特徴とする。
【００１０】
また、もう一つの態様の本発明に係る電圧制御発振器は、電源電位に一端が接続された第１のインダクタ、前記電源電位に一端が接続された第２のインダクタ、および、前記第１のインダクタの他端と前記第２のインダクタの他端との間に接続され、発振周波数制御電圧により容量値が制御される第１の可変容量、を有するタンク回路と、前記第１のインダクタの他端と接地電位との間に接続され、ゲートが前記第２のインダクタの他端に接続された第１のＭＯＳトランジスタと、前記第２のインダクタの他端と前記接地電位との間に接続され、ゲートが前記第１のインダクタの他端に接続された第２のＭＯＳトランジスタと、他端が前記タンク回路の出力の一端に接続された第３のインダクタと、前記第３のインダクタの一端にその一端が接続され、他端がタンク回路の出力の他端に接続された第４のインダクタと、前記第３のインダクタの他端と前記第４のインダクタの他端との間に接続された第２の可変容量と、を備えることを特徴とする。
【００１１】
本発明に係る電圧制御発振器の調整回路は、電源電位に一端が接続された第１のインダクタ、前記電源電位に一端が接続された第２のインダクタ、および、前記第１のインダクタの他端と前記第２のインダクタの他端との間に接続され、第１の発振周波数制御電圧により容量値が制御される第１の可変容量、を有するタンク回路と、前記第１のインダクタの他端と接地電位との間に接続され、ゲートが前記第２のインダクタの他端に接続された第１のＭＯＳトランジスタと、前記第２のインダクタの他端と前記接地電位との間に接続され、ゲートが前記第１のインダクタの他端に接続された第２のＭＯＳトランジスタと、前記電源電位に一端が接続された第３のインダクタと、前記第３のインダクタの他端と前記接地電位との間に接続され、ゲートが第１のＭＯＳトランジスタのゲートに接続された第３のＭＯＳトランジスタと、前記電源電位に一端が接続された第４のインダクタと、前記第４のインダクタの他端と前記接地電位との間に接続され、ゲートが第２のＭＯＳトランジスタのゲートに接続された第４のＭＯＳトランジスタと、前記第３のインダクタの他端と前記第４のインダクタの他端との間に接続され、第２の発振周波数制御電圧により容量値が制御される第２の可変容量と、を有する電圧制御発振器と、前記タンク回路の発振信号の振幅を検出するとともに、前記電圧制御発振器を動作させるための動作電流を変化させて、前記タンク回路の発振信号の振幅を制御する振幅制御部と、前記動作電流を検出する電流検出部と、前記振幅制御部を制御するとともに前記電圧制御発振器を制御する制御回路と、を備え、前記制御回路は、前記電流検出部により検出された電流値に応じて、前記振幅制御部を制御して所望の振幅で前記動作電流を変化させるとともに、前記タンク回路の発振信号の発振周波数を検出し、前記第１、第２の発振周波数制御電圧を制御して第１、第２の可変容量の容量値を変化させて前記タンク回路に所望の発振周波数の発振信号を出力させることを特徴とする。
【００１２】
また、もう一つの態様の電圧制御発振器の調整回路は、電源電位に一端が接続された第１のインダクタ、前記電源電位に一端が接続された第２のインダクタ、および、前記第１のインダクタの他端と前記第２のインダクタの他端との間に接続され、発振周波数制御電圧により容量値が制御される第１の可変容量、を有するタンク回路と、前記第１のインダクタの他端と接地電位との間に接続され、ゲートが前記第２のインダクタの他端に接続された第１のＭＯＳトランジスタと、前記第２のインダクタの他端と前記接地電位との間に接続され、ゲートが前記第１のインダクタの他端に接続された第２のＭＯＳトランジスタと、他端が前記タンク回路の出力の一端に接続された第３のインダクタと、前記第３のインダクタの一端にその一端が接続され、他端がタンク回路の出力の他端に接続された第４のインダクタと、前記第３のインダクタの他端と前記第４のインダクタの他端との間に接続された第２の可変容量と、を有する電圧制御発振器と、前記タンク回路の発振信号の振幅を検出するとともに、前記電圧制御発振器を動作させるための動作電流を変化させて、前記タンク回路の発振信号の振幅を制御する振幅制御部と、前記動作電流を検出する電流検出部と、前記振幅制御部を制御するとともに前記電圧制御発振器を制御する制御回路と、を備え、前記制御回路は、前記電流検出部により検出された電流値に応じて、前記振幅制御部を制御して所望の振幅で前記動作電流を変化させるとともに、前記タンク回路の発振信号の発振周波数を検出し、前記第１、第２の発振周波数制御電圧を制御して第１、第２の可変容量の容量値を変化させて前記タンク回路に所望の発振周波数の発振信号を出力させることを特徴とする。
【発明の効果】
【００１３】
本発明の一態様に係る電圧制御発振器、および、電圧制御発振器の調整回路によれば、発振周波数を制御し、所望の周波数範囲を得ることができる。
【発明を実施するための最良の形態】
【００１４】
以下、本発明に係る実施例について図面を参照しながら説明する。
【実施例１】
【００１５】
図１は、本発明の実施例１に係る電圧制御発振器１００の回路構成を示す回路図である。
【００１６】
図１に示すように、電圧制御発振器１００は、電源電位ＶＣＣに第１の電流源１を介して一端が接続された第１のインダクタ２、電源電位ＶＣＣに第１の電流源１を介して一端が接続された第２のインダクタ３、および、第１のインダクタ２の他端と第２のインダクタ３の他端との間に接続され、発振周波数制御電圧により容量値が制御される第１の可変容量４、を有するタンク回路５を備える。
【００１７】
さらに、電圧制御発振器１００は、第１のインダクタ２の他端と接地電位ＶＳＳとの間に接続され、ゲートが第２のインダクタ３の他端に接続されたｎ型の第１のＭＯＳトランジスタ６と、第２のインダクタ３の他端と接地電位ＶＳＳとの間に接続され、ゲートが第１のインダクタ２の他端に接続されたｎ型の第２のＭＯＳトランジスタ７と、を備える。
【００１８】
さらに、電圧制御発振器１００は、電源電位ＶＣＣに第２の電流源８を介して一端が接続された第３のインダクタ９と、この第３のインダクタ９の他端と接地電位ＶＳＳとの間に接続され、ゲートが第１のＭＯＳトランジスタ６のゲートに接続された第３のＭＯＳトランジスタ１０と、電源電位ＶＣＣに一端が接続された第４のインダクタ１１と、この第４のインダクタ１１の他端と接地電位ＶＳＳとの間に接続され、ゲートが第２のＭＯＳトランジスタ７のゲートに接続された第４のＭＯＳトランジスタ１２と、第３のインダクタ９の他端と第４のインダクタ１１の他端との間に接続された第２の可変容量１３と、を備える。
【００１９】
第１のインダクタ２と第３のインダクタ９とは動作電流が流れると相互インダクタンスを生成する。同様に、第２のインダクタ３と第４のインダクタ１１とは動作電流が流れると流れる動作電流の位相に応じて相互インダクタンスを生成する。
【００２０】
第１の可変容量４は、例えば、バックゲート、ソース、ドレインが共通の２つのＭＯＳ構造（それぞれのゲートは第１可変容量の一端、他端に相当）、により構成され、このバックゲート、ソース、ドレインに印加する発振周波数制御電圧を制御することにより容量値が変化する。
【００２１】
タンク回路５は、第１の可変容量４に入力される発振周波数制御電圧により容量値が変化すると発振信号の発振周波数が変化する。さらに、既述の相互インダクタンスの値によっても発振周波数が変化する。
【００２２】
なお、第３、第４のＭＯＳトランジスタ１０、１２にはバイアスされていなくてもよい。
【００２３】
ここで、以上のような構成を有する電圧制御発振器１００の発振周波数を制御する原理について説明する。
【００２４】
図２ないし図４は、本発明の実施例１に係る電圧制御発振器１００に流れる電流と電圧との関係を説明するためのベクトル図である。
【００２５】
まず、第１の可変容量４、第１のインダクタ２、および第２のインダクタ３を有するタンク回路５は、発振周波数において共振しており、インピーダンスは純抵抗性である。
【００２６】
したがって、図２に示すように、タンク回路５の出力の一端１４における電圧Ｖｐ１と電流ＩＶp１の位相は揃っている。
【００２７】
そして、図２に示しように、第１のインダクタ２を流れる電流ＩＬ１は、電流ＩＶp１に対してθ遅れている。さらに、第１の可変容量４を流れる電流ＩＣ１は、電流ＩＶp１に対してθ進んでいる。両者の遅れと進みの成分の大きさは同じである。
【００２８】
一方で、第３のインダクタ９の他端と第３のＭＯＳトランジスタ１０との間の接続点１５における電圧Ｖp２と電流ＩＶp2の位相は同じであり、第２の可変容量１３がない従来技術の場合、電圧Ｖp２と電流ＩＶp2つまり電流ＩＬ2の位相は同じである。したがって、電流ＩＬ1と電流ＩＬ2の位相は異なる。
【００２９】
異なる位相の電流による相互インダクタンスは、可変インダクタンスにならない。
【００３０】
したがって、本実施例の電圧制御発振器１００では、相互インダクタンスを可変インダクタンスにするため、第２の可変容量１３を挿入し、電流ＩＬ２の位相を調整する。図３、図４に示すように、第３のインダクタ９を流れる電流ＩＬ２は、電流ＩＶp２に対して遅れている。さらに、第２の可変容量１３を流れる電流ＩＣ２は、電流ＩＶp２に対して進んでいる。両者の遅れと進みの成分の大きさは同じである。
【００３１】
図３、４に示すように、第２の可変容量１３の容量値を調整することにより、可変インダクタンスとして有効な相互インダクタンス分ＣＯＳθを調整（図３ではθ＝０°）することができ、第３のインダクタに流れる電流ＩＬ２を増加することもできる。
【００３２】
なお、タンク回路５の出力の他端１６、接続点１７においても上記と同様の関係が成立する。
【００３３】
このように、第２の可変容量１３の容量値を調整することで電流ＩＬ2の位相、すなわち相互インダクタンスの可変分を調整することができる。結果として、電圧制御発振器１００の発振周波数を調整することができる。
【００３４】
以上のように、本実施例に係る電圧制御発振器によれば、発振周波数を制御し、所望の周波数範囲を得ることができる。
【００３５】
なお、本実施例においては、電圧制御発振器を構成するＭＯＳトランジスタの導電型を逆にした場合についても、各回路構成の極性を逆にすることにより同様に適用できる。
【実施例２】
【００３６】
実施例１の電圧制御発振器１００の第３、第４のＭＯＳトランジスタ１０、１２については省略してもよい。そこで、本実施例では、第３、第４のＭＯＳトランジスタを省略した構成について述べる。
【００３７】
図５は、本発明の一態様である実施例２に係る電圧制御発振器２００の要部の構成を示す回路図である。なお、図中、実施例１と同じ符号は、実施例１と同様の構成を示している。
【００３８】
図５に示すように、電圧制御発振器２００は、電源電位ＶＣＣに第１の電流源１を介して一端が接続された第１のインダクタ２、電源電位ＶＣＣに第１の電流源１を介して一端が接続された第２のインダクタ３、および、第１のインダクタ２の他端と第２のインダクタ３の他端との間に接続され、発振周波数制御電圧により容量値が制御される第１の可変容量４、を有するタンク回路５を備える。
【００３９】
さらに、電圧制御発振器２００は、第１のインダクタ２の他端と接地電位ＶＳＳとの間に接続され、ゲートが第２のインダクタ３の他端に接続されたｎ型の第１のＭＯＳトランジスタ６と、第２のインダクタ３の他端と接地電位ＶＳＳとの間に接続され、ゲートが第１のインダクタ２の他端に接続されたｎ型の第２のＭＯＳトランジスタ７と、を備える。
【００４０】
さらに、電圧制御発振器２００は、他端がタンク回路５の出力の一端１４に接続された第３のインダクタ９と、この第３のインダクタ９の一端にその一端が接続され、他端がタンク回路５の出力の他端１６に接続された第４のインダクタ１１と、第３のインダクタ９の他端と第４のインダクタ１１の他端との間に接続された第２の可変容量１３と、を備える。
【００４１】
実施例１と同様に、第１のインダクタ２と第３のインダクタ９とは動作電流が流れると相互インダクタンスを生成する。同様に、第２のインダクタ３と第４のインダクタ１１とは動作電流が流れると流れる動作電流の位相に応じて相互インダクタンスを生成する。
【００４２】
また、タンク回路５は、第１の可変容量４に入力される発振周波数制御電圧により容量値が変化すると発振信号の発振周波数が変化する。さらに、既述の相互インダクタンスの値によっても発振周波数が変化する。
【００４３】
以上のような構成を有する電圧制御発振器２００の発振周波数を制御する原理は実施例１と同様であり、既述の図３、４のベクトル図を用いて同様に説明することができる。
【００４４】
以上のように、本実施例に係る電圧制御発振器によれば、発振周波数を制御し、所望の周波数範囲を得ることができる。
【実施例３】
【００４５】
実施例１、２では、電圧制御発振器の具体的な構成について述べた。本実施例では、この電圧制御発振器の発振周波数を調整する調整回路について述べる。
【００４６】
図６は、本発明の一態様である実施例３に係る電圧制御発振器の調整回路３００の要部の構成を示す回路図である。なお、図中、実施例１と同じ符号は、実施例１と同様の構成を示している。また、図６では、実施例１の電圧制御発振器１００を適用した例を示しているが、下記のように実施例２の電圧制御発振器２００についても同様に適用が可能である。
【００４７】
電圧制御発振器の調整回路３００は、電圧制御発振器１００と、タンク回路５の発振信号の振幅を検出するとともに、電圧制御発振器１００を動作させるための、第１のインダクタ２と第２のインダクタ３に流れる第１の動作電流、第３のインダクタ９と第４のインダクタ１１に流れる第２の動作電流を変化させて、タンク回路５の発振信号の振幅を制御する振幅制御部２０を備える。
【００４８】
振幅制御部２０は、第１の電流源であるｎ型ＭＯＳトランジスタ３０１、第２の電流源であるｎ型ＭＯＳトランジスタ３０８のゲートに動作電流制御信号を出力して、第１、第２の動作電流を制御する。
【００４９】
なお、実施例２の電圧制御発振器２００に適用する場合には、第２の電流源であるｎ型ＭＯＳトランジスタ３０８は省略される。
【００５０】
電圧制御発振器の調整回路３００は、さらに、第１の動作電流、第２の動作電流を検出する電流検出部２１を備える。
【００５１】
電流検出部２１は、電源電位ＶＣＣに接続されゲートに既述の動作電流制御信号が入力されて電流源を構成するｎ型ＭＯＳトランジスタ２１ａ、２１ｂと、これらのｎ型ＭＯＳトランジスタ２１ａ、２１ｂに流れる電流を測定することにより、ｎ型ＭＯＳトランジスタ３０１、３０８に流れる第１、第２の動作電流を検出する電流検出回路２１ｃと、を有する。
【００５２】
なお、実施例２の電圧制御発振器２００に適用する場合には、第２の電流源が無いため、ｎ型ＭＯＳトランジスタ２１ｂは省略される。
【００５３】
電圧制御発振器の調整回路３００は、さらに、振幅を指定する振幅指定信号を出力して振幅制御部２０を制御するとともに発振周波数制御電圧を出力して電圧制御発振器１００を制御する制御回路２２を備える。
【００５４】
制御回路２２は、電流検出部２１により検出された動作電流の電流値（電流値信号）に応じて、振幅制御部２０を制御して所望の振幅で第１、第２の動作電流を変化させる。さらに、制御回路２２は、タンク回路５の発振信号の発振周波数を検出し、第１、第２の発振周波数制御電圧を制御して第１、第２の可変容量４、１３の容量値を変化させてタンク回路５に所望の発振周波数の発振信号を出力させる。
【００５５】
これにより、電圧制御発振器の発振周波数を制御し、所望の周波数範囲を得ることができる。
【００５６】
また、制御回路２２は、電流検出部２１により検出された動作電流の電流値に応じて、第１の動作電流と第２の動作電流との和、すなわち、電圧制御発振器１００の供給される動作電流が最小になるように振幅制御部２０を制御して所望の振幅で第１、第２の動作電流を変化させる。
【００５７】
なお、実施例２の電圧制御発振器２００に適用する場合は、第１の動作電流、すなわち、電圧制御発振器２００の供給される動作電流の値が最小になるように、振幅制御部２０を制御して所望の振幅で動作電流を変化させる。
【００５８】
これにより、電圧制御発振器の低消費電力化を図りつつ、電圧制御発振器の発振周波数を制御し、所望の周波数範囲を得ることができる。
【００５９】
以上のように、本実施例に係る電圧制御発振器の調整回路によれば、電圧制御発振器の発振周波数を制御し、所望の周波数範囲を得ることができる。
【００６０】
なお、以上各実施例において、接地電位に接続されているＭＯＳと接地電位の間に、抵抗やインダクタ等の素子が入ってもよい。
【図面の簡単な説明】
【００６１】
【図１】本発明の一態様である実施例１に係る電圧制御発振器の回路構成を示す図である。
【図２】本発明の実施例１に係る電圧制御発振器１００に流れる電流と電圧との関係を説明するためのベクトル図である。
【図３】本発明の実施例１に係る電圧制御発振器１００に流れる電流と電圧との関係を説明するためのベクトル図である。
【図４】本発明の実施例１に係る電圧制御発振器１００に流れる電流と電圧との関係を説明するためのベクトル図である。
【図５】本発明の一態様である実施例２に係る電圧制御発振器２００の要部の構成を示す回路図である。
【図６】本発明の一態様である実施例３に係る電圧制御発振器の調整回路３００の要部の構成を示す回路図である。
【符号の説明】
【００６２】
１  第１の電流源
２  第１のインダクタ
３  第２のインダクタ
４  第１の可変容量
５  タンク回路
６  第１のＭＯＳトランジスタ
７  第２のＭＯＳトランジスタ
８  第２の電流源
９  第３のインダクタ
１０  第３のＭＯＳトランジスタ
１１  第４のインダクタ
１２  第４のＭＯＳトランジスタ
１３  第２の可変容量
１４  タンク回路の出力の一端
１５  接続点
１６  タンク回路の出力の他端
１７  接続点
２０  振幅制御部
２１  電流検出部
２１ａ、２１ｂ  ｎ型ＭＯＳトランジスタ
２１ｃ  電流検出回路
２２  制御回路
１００、２００  電圧制御発振器
３００  電圧制御発振器の調整回路
３０１、３０８  ｎ型ＭＯＳトランジスタ
【図１】
2007266700.tif 000003
【図２】
2007266700.tif 000004
【図３】
2007266700.tif 000005
【図４】
2007266700.tif 000006
【図５】
2007266700.tif 000007
【図６】
2007266700.tif 000008